(57)【要約】【課題】線材を引っ張ることでテープ等の外装材を確実に且つ容易に切り裂けるようにする。【解決手段】複数本の電線２を外装材３で束ね、電線と該外装材との間に外装材切り裂き用の線材４を配索した易解体式ワイヤハーネス１において、複数本の電線に続くコネクタ５に線材の一端部４ａを固定して、線材の他端部４ｂを引っ張った際の線材の抜け出しを防止した。コネクタ内に収容固定される端子１０に線材の一端部４ａを固定した。線材４に、外装材３を切り裂く刃部１６を形成した。【選択図】図１
2008305656.tif 000002
【特許請求の範囲】
【請求項１】
複数本の電線を外装材で束ね、該電線と該外装材との間に外装材切り裂き用の線材を配索した易解体式ワイヤハーネスにおいて、前記複数本の電線に続くコネクタに前記線材の一端部を固定して、該線材の他端部を引っ張った際の該線材の抜け出しを防止したことを特徴とする易解体式ワイヤハーネス。
【請求項２】
前記コネクタ内に収容固定される端子に前記線材の一端部が固定されたことを特徴とする請求項１記載の易解体式ワイヤハーネス。
【請求項３】
前記線材に、前記外装材を切り裂く刃部が形成されたことを特徴とする請求項１又は２記載の易解体式ワイヤハーネス。
【発明の詳細な説明】
【技術分野】
【０００１】
本発明は、複数本の電線を束ねるテープ等の外装材を内側の線材で切り裂いてリサイクル性を高めた易解体式ワイヤハーネスに関するものである。
【背景技術】
【０００２】
図５は、従来の易解体式ワイヤハーネスの一形態を示すものである（例えば特許文献１参照）。
【０００３】
この易解体式ワイヤハーネス３１は、複数本の絶縁被覆電線３２を結束する樹脂製の粘着テープ３３を切断するために、テープ３３と電線３２との間にワイヤ３４を挿通させ、ワイヤ３４の両端部３４ａ，３４ｂをテープ３３の巻き終わり部から外部に露出させておき、解体時にワイヤ３４の一方の端部（３４ａ又は３４ｂ）を持ってテープ板厚方向に強く引き上げることで、テープ３３を電線長手方向に切断可能としたものである。
【０００４】
テープ３３を切断することで、電線３２を容易にばらすことができ、各電線３２をチップ状に裁断して銅線と絶縁樹脂被覆とに分別してリサイクルすることができる。テープ３３は粘着性であるので、テープ３３を巻いたまま電線３２を裁断した場合には、銅線チップと樹脂被覆チップとがくっついて分別が上手く行われないから、テープ３３を除去する必要がある。ワイヤ３４の材料はピアノ線や樹脂製の釣り糸等、種々のものを使用可能である。
【０００５】
引用文献２には、テープ３３に代えて樹脂製のシート（図示せず）を巻いたものや樹脂製のチューブ（図示せず）を使用することが記載されている。この場合、シートやチューブはテープ３３よりも厚いので、ワイヤ３２をシートやチューブの内部に埋め込んで配索している。
【特許文献１】特開平１１−２６０１５１号公報（図１）
【特許文献２】特開平１１−２５２７３９号公報（図１，図３）
【発明の開示】
【発明が解決しようとする課題】
【０００６】
しかしながら、上記従来の易解体式ワイヤハーネスにあっては、テープ３３を切断するべく、ワイヤ（線材）３４の一端部を持って強く引っ張った際に、ワイヤ３４がテープ３３に固定されていないので、ワイヤ３４の引張方向によっては、ワイヤ３４が抜け出してテープ３３を上手く切断できないという懸念があった。また、テープ３３は螺旋状にラップして巻かれているために、テープ３３を切断するのに大きな力を必要とし、切断作業性が悪いという懸念があった。これは、テープ３３に代えてシートやチューブを用いた場合でも同様に生じ得るものである。
【０００７】
本発明は、上記した点に鑑み、ワイヤ（線材）を引っ張った際の抜け出しをなくしてテープ等の外装材を確実に切断することができ、また、テープ等の外装材を小さな力で容易に切断することのできる易解体式ワイヤハーネスを提供することを目的とする。
【課題を解決するための手段】
【０００８】
上記目的を達成するために、本発明の請求項１に係る易解体式ワイヤハーネスは、複数本の電線を外装材で束ね、該電線と該外装材との間に外装材切り裂き用の線材を配索した易解体式ワイヤハーネスにおいて、前記複数本の電線に続くコネクタに前記線材の一端部を固定して、該線材の他端部を引っ張った際の該線材の抜け出しを防止したことを特徴とする。
【０００９】
上記構成により、解体時に線材の他端部を外装材に対して交差する方向に引っ張った際に、線材の一端部が固定されているから、線材の抜け出し（抜け方向の移動）が防止され、線材の引張力が確実に外装材に作用して、外装材が電線長手方向に確実に切断される。線材は金属でも樹脂でもよい。
【００１０】
請求項２に係る易解体式ワイヤハーネスは、請求項１記載の易解体式ワイヤハーネスにおいて、前記コネクタ内に収容固定される端子に前記線材の一端部が固定されたことを特徴とする。
【００１１】
上記構成により、端子に電線を接続する代わりに線材を接続固定し、線材付きの端子をコネクタハウジングの端子収容室内に挿入係止することで、線材の一端部が既存の装置・設備を用いてコネクタに簡単且つ確実に固定される。絶縁性の線材を用いる場合は、電線と共に端子に接続固定することも可能である。
【００１２】
請求項３に係る易解体式ワイヤハーネスは、請求項１又は２記載の易解体式ワイヤハーネスにおいて、前記線材に、前記外装材を切り裂く刃部が形成されたことを特徴とする。
【００１３】
上記構成により、線材の他端部を引っ張ることで、線材の刃部が外装材を小さな力で容易に且つ確実に切り裂くことができる。外装材はテープ以外に厚手のシートやチューブでもよい。従来のようにシートやチューブに一々線材を埋め込む必要はない。
【発明の効果】
【００１４】
請求項１記載の発明によれば、線材の一端部を固定した状態で他端部を引っ張ることで、線材の滑り（抜け出し）なく外装材を確実に切り裂くことができるから、ワイヤハーネスの解体作業性が向上する。
【００１５】
請求項２記載の発明によれば、線材の一端部を既存の設備・装置を用いて簡単に且つ低コストで確実にコネクタに固定することができる。
【００１６】
請求項３記載の発明によれば、外装材を小さな力で容易に切断することができ、ワイヤハーネスの解体作業性が一層向上する。また、厚手の外装材でも同様に確実に切断することができ、従来のように線材を外装材内に埋め込む手間やコストが不要となる。
【発明を実施するための最良の形態】
【００１７】
図１〜図４は、本発明に係る易解体式ワイヤハーネスの一実施形態を示すものである。
【００１８】
図１の如く、この易解体式ワイヤハーネス１は、複数本の絶縁被覆電線２の外周に合成樹脂製の粘着テープ（外装材）３を螺旋状に巻いて各電線２を収束すると共に、テープ３と電線２との間にテープ切断（切り裂き）用の線材４を配索したワイヤハーネスにおいて、各電線２の端末に配設されたコネクタ５内に線材４の一端部４ａを固定したことを特徴とするものである。
【００１９】
線材４の他端部４ｂはテープ３の他端末から外部に露出されている。線材４の他端部４ｂはストレートに形成してもよく、図１のように少しカールさせて作業者に目立つようにしてもよい。線材４の一端部４ａはテープ３の一端末から電線２に沿ってほぼ真直に外部に露出してコネクタ５内に導入されている。図１の例では二本の線材４を用いてワイヤハーネス１の幹線部６と分岐線部７に沿って配索し、各分岐線部７の端末にコネクタ５を配設している。
【００２０】
図２に図１のＡ部拡大図を示す如く（図２ではコネクタ５を後方から見ている）、線材４の一端部４ａは絶縁樹脂製のコネクタハウジング８の未使用の（導通に供しない）端子収容室９内に挿入されている。図２では便宜上、線材４を黒塗りで示している。
【００２１】
図３の如く、コネクタハウジング８の未使用の端子収容室９内に端子１０が挿入係止され、端子１０に線材４の一端部４ａが固定されている。すなわち、端子１０に線材４を固定した状態で、他の電線２付きの端子（符号１０と同じもの）と同様に端子収容室９の後部開口（符号９で代用）から線材４付きの端子１０を挿入し、端子収容室９内の可撓性の係止ランス１１で端子１０を係止させている。コネクタハウジング８と端子１０とでコネクタ５が構成される。
【００２２】
この係止ランス１１は一例として端子収容室９の上側の内壁１２から斜め前方に突出し、端子１０の前半の矩形筒状の電気接触部１３の後段部１３ａを係止しているが、端子収容室９の下側の内壁１５から斜め前方に突出して端子１０の底板の孔部（図示せず）を係止する係止ランス（図示せず）を用いたり、端子１０の底板から突出した係止片（図示せず）を端子収容室９の下壁１５の凹部（図示せず）に係合させたり、二次係止用のサイドスペーサ（図示せず）で端子１０の後段部１３ａを係止させたりすることも可能である。これら端子１０の係止手段１１は既存のものである。
【００２３】
線材４の材質としては、鉄や銅等の金属並びに合成樹脂や竹や繊維や紐やカーボン等、屈曲性が良好で、且つゴムのように伸縮しないものなら何でも使用可能である。
【００２４】
端子１０の後半の接続部（線材固定部）１４は既存の端子１０の圧着片又は圧接片であり、金属製の線材４は接続部１４に圧着又は圧接で固定され、樹脂製等の線材４は接続部１４に圧着で固定される。圧着や圧接以外に溶着で固定することも可能である。端子１０の前半の電気接触部１３は矩形筒状の周壁の内側に弾性片を有した既存のものである。
【００２５】
線材４の一端部を端子１０に固定し、端子１０をコネクタハウジング８に固定することで、線材４の他端部４ｂを引き上げて（引っ張って）テープ３を切断する際に線材４がテープ３から引張方向に抜け出すことがなくなり、線材４の引き上げ力が滑りなくテープ３に伝わって、テープ３の切断が確実に行われる。
【００２６】
図１の例では、図１で上側の一方の線材４によって、上側の各分岐線部７のテープ３と中間の幹線部６のテープ３の一側部とが切断され、下側の他方の線材４によって、下側の各分岐線部７のテープ３と中間の幹線部６のテープ３の他側部とが切断される。太い幹線部６のテープ３が一側部と他側部との二カ所で切断されることで、幹線部６のテープ３の除去（引き剥がし）を容易に行うことができる。
【００２７】
図３の如く、テープ３（図１）や、テープ３に代わるシートやチューブ（図示せず）の切断を容易に行わせるべく、線材４には鋸歯状の刃部１６を形成しておくことが好ましい。各刃部１６は長い傾斜辺１６ａと短い立上げ辺１６ｂとで略三角形状に形成され、傾斜辺１６ａは端子１０に向けて斜め上向きに傾斜して前側の立上げ辺１６ｂに続いている。線材４の他端部４ｂ（図１）をテープ３の厚み方向（電線径方向）に引き上げた際に、刃部１６の傾斜辺１６ａがテープ３の内面に斜めに当たることでテープ３が確実に切断される。
【００２８】
刃部１６の傾斜方向を図３とは前後逆にして、傾斜辺１６ａを端子１０寄りに配置し、傾斜辺１６ａに対して端子１０から遠い側に立上げ辺１６ｂを配置して、立上げ辺１６ｂを端子１０に向けて斜め下向きに傾斜させることも可能であり、この場合は、線材４の他端部４ｂ（図１）を引き上げた際に、傾斜辺１６ａと立上げ辺１６ｂとの交差した鋭利な角部１６ｃがテープ３の内面に突き当たりつつテープ３が切断される。
【００２９】
各刃部１６の間隔Ｐはテープ３の幅Ｗ（図１）の１／２以下とすることが好ましい。これにより、少なくとも一つの刃部１６が一巻きのテープ部分３ａ（図１）を確実に捕らえて確実に切断することができる。また、通常の自動車用ワイヤハーネス１に適用する場合、一例として、刃部１６の突出高さを含む線材４の高さＨは３ｍｍ以下、線材４の高さとは直交する方向の厚みＴ（図４）は１ｍｍ以下であることが好ましい。
【００３０】
このように、刃部１６を有する場合は断面縦長帯状となるので、図４（図１のＢ−Ｂ断面図）の如く、ワイヤハーネス１の外周側の二本の電線２の間に線材４を差し込んで二本の電線２で線材４を挟んで保持させつつ、テープ３を螺旋状に巻き付けることが好ましい。そうすれば、刃部１６がテープ３に直交して接して位置するから、線材４の引き上げ操作でテープ３を確実に且つ小さな力で容易に切断することができる。
【００３１】
図３のような刃１６付きの線材４を用いることで、外装材として薄肉のテープ３のみならず厚肉のテープや、厚肉のシートやチューブ等（図示せず）も容易に切断することができる。
【００３２】
また、テープ３は螺旋状に巻いたものに限らず、電線２の長手方向の複数箇所に環状に部分巻きをしたものや、電線２の全長に渡って粗巻き（間隔をあけて螺旋状に巻く）をしたものや、あるいは、非接着性のテープ（３）の巻き始めと巻き終わりのみを電線２に接着させるタイプのもの等にも、上記線材４を適用可能である。線材４は刃１６のついていないものでもよく、一端部４ａをコネクタ５に固定したことで、従来よりも切断性が向上している。シート（図示せず）は両側部をラップさせて接着剤で接着させたり、溶着等させるもので、チューブ（図示せず）は加熱によって収縮させる熱収縮チューブを含むものである。
【００３３】
図１の実施形態では、ワイヤハーネス１の幹線部６の左右両側から各二本の分岐線部７を枝分かれさせ、上側と下側の各分岐線部７に沿って各一本の線材４を配索し、幹線部６において二本の線材４を同時に配索しているが、例えば図１で左下の分岐線部７に沿う線材４の他端部を引張操作部として分岐線部７と幹線部６との交差部１７から外部に導出させ（一端部４ａはコネクタ５内に固定されている）、右下の分岐線７の端部４ｂを外部に導出させる代わりにコネクタ５の未使用の端子収容室内の端子１０に固定し、右下の分岐線部７の他端部を引張操作部として幹線部７との交差部１８から外部に導出させることも可能である。但しこの場合は、線材４が短縮される代わりに端子１０が一つ多く必要となる。
【００３４】
また、ワイヤハーネス１の展開形態に応じて、例えば長い分岐線部７のないほぼ幹線部６のみのワイヤハーネス（図示せず）には一本の線材４を電線２に沿って配索し、線材４の一端部４ａをワイヤハーネスの一端側のコネクタ５内に固定し、線材４の他端部４ｂをワイヤハーネスの他端側でテープ３から外部に導出させる。線材４の他端部４ｂを露出させずに、邪魔にならないようにテープ３の端部の内側に収容したり、電線２に巻き付けておくことも可能である。
【００３５】
また、上記実施形態においては、線材４の一端部４ａをコネクタハウジング８内の端子１０に固定したが、端子１０に代えてコネクタハウジング５自体や電線２の端末部分に線材４の一端部４ａを固定することも可能である。これらを含めて線材４の一端部４ａがコネクタ５に固定されたことになる。例えば、コネクタハウジング８に線材４の一端部４ａを挟み込んで固定するスリット（図示せず）を形成したり、コネクタハウジング８の未使用の端子収容室９や後端壁や電線２の絶縁被覆等に線材４の一端部４ａを接着剤等で固定することも可能である。
【００３６】
また、図１〜図３のコネクタ５は雌型の端子１０を収容したものであるが、雄型の端子（図示せず）とそれを収容するコネクタハウジングとで成るコネクタ（図示せず）において、雄型の端子の後半の接続部（固定部）１４に線材４の一端部４ａを固定することも無論可能である。
【００３７】
また、線材４付きの端子１０はコネクタハウジング８の不使用の端子収容室９内に挿入するものとして説明したが、絶縁性の線材４を用いる場合は、端子１０に電線２と線材４とを同時に圧着等で固定させ、その端子１０をコネクタハウジング８の所要の端子収容室９内に挿入係止させることも可能である。
【００３８】
また、図３の実施形態においては、長い傾斜辺１６ａと短い立上げ辺１６ｂを有する略直角三角形状の刃部１６を線材４に形成したが、例えば刃部１６として、二等辺三角形状に等しい長さの傾斜辺を有するものを用いたり、鋸歯状はなく線材本体１９（図３）からピン状に突出した刃部（図示せず）を形成することも可能である。また、断面円形の線材の長手方向に鋸歯状ではなく直線的な薄肉の刃部（図示せず）を一体形成することも可能である。これらの刃部１６は、金属製の線材４をプレス等で成形して形成したり、合成樹脂製の線材４を成形型で樹脂成形する際に一体に形成することができる。
【図面の簡単な説明】
【００３９】
【図１】本発明に係る易解体式ワイヤハーネスの一実施形態を示す斜視図である。
【図２】ワイヤハーネスのコネクタの一形態を示す図１のＡ部拡大図（コネクタを後部から見た斜視図）である。
【図３】端子に接続された刃付きの線材の一形態を示す側面図である。
【図４】ワイヤハーネスの内部構造を示す図１のＢ−Ｂ断面図である。
【図５】従来の易解体式ワイヤハーネスの一形態を示す斜視図である。
【符号の説明】
【００４０】
１    易解体式ワイヤハーネス
２    電線
３    粘着テープ（外装材）
４    線材
４ａ  一端部
４ｂ  他端部
５    コネクタ
１０  端子
１６  刃部
【図１】
2008305656.tif 000003
【図２】
2008305656.tif 000004
【図３】
2008305656.tif 000005
【図４】
2008305656.tif 000006
【図５】
2008305656.tif 000007